(57)【要約】      （修正有）【課題】装置内部を効率的に冷却することができる光照射装置を提供する。【解決手段】光照射装置１は、基板６と、基板６の第１の面に、第１の方向に沿って実装された複数の発光ダイオード３０と、基板６の第２の面に、前記第１の方向と直交する第２の方向に所定間隔をおいて配置される複数の放熱部材３２であって、隣接する放熱部材３２間の隙間に前記第１の方向に延びる複数の流路を形成する複数の放熱部材３２と、空気を吸引することで、前記流路に、前記第１の方向に沿って空気流を発生させる、空気吸引ユニット３１と、を備え、各放熱部材３２の一端部は、前記第２の面に配置され、前記複数の流路は、小流路３３と、小流路３３の隙間よりも大きい隙間を有する大流路３５と、を含む。【選択図】図６
2013125900.tif 000002
【特許請求の範囲】
【請求項１】
基板と、
前記基板の第１の面に、第１の方向に沿って実装された複数の発光ダイオードと、
前記基板の第２の面に、前記第１の方向と直交する第２の方向に所定間隔をおいて配置される複数の放熱部材であって、隣接する当該放熱部材間の隙間に前記第１の方向に延びる複数の流路を形成する複数の放熱部材と、
空気を吸引することで、前記流路に、前記第１の方向に沿って空気流を発生させる、空気吸引ユニットと、
を備え、
前記各放熱部材の一端部は、前記第２の面に配置され、
前記複数の流路は、小流路と、当該小流路の隙間よりも大きい隙間を有する大流路と、を含む、光照射装置。
【請求項２】
前記複数の放熱部材の一端部は、等間隔で前記第２の面上に配置されており、
前記大流路を形成する隣接した前記放熱部材は、前記一端部から他端部の間で前記隙間が大きくなるように構成されている、請求項１に記載の光照射装置。
【請求項３】
前記大流路は、前記発光ダイオードが実装されている位置に対応するように形成されている、請求項１または２に記載の光照射装置。
【請求項４】
前記大流路は、前記空気流の上流側である前記第１の方向の一端部から、前記第２の面の中間部に亘って形成されている、請求項１から３のいずれかに記載の光照射装置。
【請求項５】
前記大流路は、前記第１の方向の一端部から他端部に渡って形成されている、請求項１から３のいずれかに記載の光照射装置。
【請求項６】
前記基板の第２の面と対向するように配置された区分部材をさらに備え、
前記放熱部材は、前記第２の面と区分部材との間に配置され、前記各流路は、前記第２の面、隣接する一対の前記放熱部材、及び区分部材によって区画されている、請求項１から５のいずれかに記載の光照射装置。
【請求項７】
前記各放熱部材と前記区分部材とは弾性的に接触している、請求項６に記載の光照射装置。
【請求項８】
前記基板に対し、前記空気流の上流側である前記第１の方向の一端部側に配置され、空気を放出する空気供給ユニットをさらに備え、
前記空気吸引ユニットは、前記基板に対し、前記第１の方向の他端部側に配置されている、請求項１から７のいずれかに記載の光照射装置。
【発明の詳細な説明】
【技術分野】
【０００１】
本発明は、発光ダイオード（ＬＥＤ）を用いた光照射装置に関する。
【背景技術】
【０００２】
従来より、発光ダイオード（ＬＥＤ）を冷却するには、種々の方法が提案されているが、例えば、図１２に示すような冷却構造が提案されている。図１２に示す例では、基板１０１の一方の面にＬＥＤ１００が配置され、基板の他方面に複数の放熱部材１０２が配置されている。各放熱部材１０２は薄板状に形成され、間隔をあけて配置されている。この構成により、ＬＥＤ１００の熱が基板１０１を介して放熱部材１０２に伝達され、この放熱部材１０２が周囲の空気によって冷却されることにより、ＬＥＤ１００が冷却される。
【先行技術文献】
【特許文献】
【０００３】
【特許文献１】特開２００８‐２８３７７号公報
【発明の概要】
【発明が解決しようとする課題】
【０００４】
ところで、上記のようなＬＥＤの冷却構造では、冷却能力を高めるために種々の方法が提案されているが、一般的には、放熱部材の数を増やし、放熱部材１０２と周囲の空気との接触面積を増大させるという方法がある。しかしながら、放熱部材１０２を増やすと、隣接する放熱部材１０２同士が互いに接近してしまうので、放熱部材１０２間の隙間が狭くなり、この隙間に空気が流れにくくなる。これにより、放熱部材１０２の周囲に低温の空気が流れにくくなり、冷却能力が逆に低下してしまうことがある。
【０００５】
本発明は、上記問題を解決するためになされたものであって、装置内部を効率的に冷却することができる光照射装置を提供することを目的とする。
【課題を解決するための手段】
【０００６】
本発明は、基板と、前記基板の第１の面に、第１の方向に沿って実装された複数の発光ダイオードと、前記基板の第２の面に、前記第１の方向と直交する第２の方向に所定間隔をおいて配置される複数の放熱部材であって、隣接する当該放熱部材間の隙間に前記第１の方向に延びる複数の流路を形成する複数の放熱部材と、空気を吸引することで、前記流路に、前記第１の方向に沿って空気流を発生させる、空気吸引ユニットと、を備え、前記各放熱部材の一端部は、前記第２の面に配置され、前記複数の流路は、小流路と、前記小流路の隙間よりも大きい隙間を有する大流路と、を含む。
【０００７】
この構成によれば、空気吸引ユニットにより空気を吸引することにより、放熱部材間の流路に負圧を形成し、これにより、流路に空気流を発生させている。したがって、隙間の狭い流路であっても空気流を発生させることができるため、多数の放熱部材を配置することができ、装置内部を効果的に冷却することができる。また、複数の流路の一部には、隙間の大きい大流路が形成されているため、この大流路の下流側にも低温の空気を送ることができる。すなわち、隙間が小さい流路では、送り込まれた空気が放熱部材に接触すると、すぐに温度が上昇するため、下流側に低温の空気を送り込むことが難しかった。これに対して、上記のような大流路を形成すると、送り込まれた空気の一部は、大流路の両側の放熱部材に接触して温度が上昇するものの、全体としては温度が大きく上昇することなく、下流側まで低温の空気を送り込むことができる。したがって、下流側の放熱部材に対しても、効果的に熱交換を行うことができ、その結果、下流側のＬＥＤも効果的に冷却することができる。なお、本発明が対象とするＬＥＤは、種々のものがあるが、例えば、被印刷物に紫外線を照射する紫外線ＬＥＤとすることができる。
【０００８】
上記光照射装置においては、複数の放熱部材の一端部を、等間隔で第２の面上に配置し、大流路を形成する隣接した放熱部材は、その一端部から他端部の間で隙間が大きくなるように構成することができる。このようにすると、第２の面においては、複数の放熱部材の一端部が等間隔で配置されているため、第２の面では第２の方向の全体に亘って、基板に対し均等に熱交換を行うことができる。その一方で、大流路を形成する隣接した放熱部材は、一端部から他端部の間で隙間が大きくなるように構成しているため、空気の流量を大きくすることができ、上述したように、下流側のＬＥＤも効果的に冷却することができる。なお、上述した「等間隔」とは、厳密に等しい間隔である必要はなく、基板の第２の方向に対してほぼ均等に熱交換ができる程度に配置されていればよい。
【０００９】
上記光照射装置においては、大流路を、基板においてＬＥＤが実装されている位置と対応するように配置することができる。例えば、ＬＥＤを基板の第１の面の第２の方向の中央に配置した場合には、大流路を、同様に第２の面における第２の方向の中央に配置することができる。こうすることで、ＬＥＤが配置されている位置に置いて、空気の流量が増大するため、ＬＥＤを効果的に冷却することができる。
【００１０】
上記大流路は、種々の態様で形成することができる。例えば、基板の第１の方向の一端部から他端部に全体に亘って形成することができるし、あるいは、空気流の上流側である第１の方向の一端部から、第２の面の中間部に亘って形成することができる。中間部とは、一端部と他端部の間のいずれかの位置であり、必ずしも中央付近を意味するものではない。
【００１１】
上記光照射装置においては、基板の第２の面と対向するように配置された区分部材をさらに設けることができる。そして、放熱部材を、第２の面と区分部材との間に配置し、各流路を、第２の面、隣接する一対の放熱部材、及び区分部材によって区画することができる。このように構成すると、空気の流路が断面において閉じた空間を形成するため、高速で空気を流すことができ、冷却効率を向上することができる。
【００１２】
このとき、各放熱部材と前記区分部材とを弾性的に接触させることができる。すなわち、放熱部材の端部を、区分部材によって押しつけるように配置することができる。このようにすると、放熱部材の高さにバラツキがあっても、上記のように閉じた流路を確実に形成することができる。よって、より効果的に冷却を行うことができる。
【００１３】
また、上記光照射装置においては、基板に対し、空気流の上流側である第１の方向の一端部側に配置され、空気を放出する空気流供給ユニットをさらに設け、上述した空気吸引ユニットを基板に対し、第１の方向の他端部側に配置することができる。このようにすると、空気吸引ユニットによる空気の吸引に加え、空気流供給ユニットから空気を各流路へ送り込むことができるため、大量の空気を流路に送り込むことができる。その結果、ＬＥＤをさらに効果的に冷却することができる。
【発明の効果】
【００１４】
本発明の光照射装置によれば、装置内部を効率的に冷却することができる。
【図面の簡単な説明】
【００１５】
【図１】本発明の一実施形態に係る紫外線照射装置が用いられる印刷装置の概略構成を示す側面図である。
【図２】印刷装置の概略構成を示す平面図である。
【図３】紫外線照射ユニットの斜視図である。
【図４】光照射装置の上面図（ａ）、側面図（ｂ）、下面図（ｃ）である。
【図５】図４のＡ−Ａ線断面図である。
【図６】図４のＢ−Ｂ線断面図である。
【図７】区分部材の斜視図である。
【図８】第２空間における空気の流れを模式的に示した断面図である。
【図９】放熱部材の配置の他の例を示す正面図である。
【図１０】放熱部材の配置の他の例を示す断面図である。
【図１１】図６の他の例を示す断面図である。
【図１２】従来の冷却構成を示す断面図である。
【発明を実施するための形態】
【００１６】
以下、本発明の光照射装置を印刷装置における紫外線照射装置に適用した場合の一実施形態について図面を参照して説明する。図１は、本発明の一実施形態に係る印刷装置の概略構成を示す側面図であり、図２は、印刷装置の概略構成を示す平面図である。
【００１７】
（１）印刷装置
図１及び図２に示すように、この印刷装置５０は、中央のセンタードラム５１と、シート状の被印刷物Ｐを繰り出すロール５３とを備えている。センタードラム５１は、回転軸５４を介して回転駆動装置５５に接続されており、この回転駆動装置５５の駆動により回転軸５４を中心として回転する。回転駆動装置５５は、図示を省略する公知の電動モーターや回転ベルト等を備えている。ロール５３から繰り出された被印刷物Ｐは、ガイドローラ５２ａを介して、センタードラム５１に巻き掛けられ、さらに、他のガイドローラ５２ｂ，５２ｃを介して矢示Ｘ方向へ案内されるようになっており、センタードラム５１の回転によってロール５３から繰り出されるようにいる。
【００１８】
また、この印刷装置５０は、センタードラム５１の外周に沿って間隔をあけて複数配置された印刷ユニット５６および紫外線照射ユニット５７を備えている。すなわち、いわゆるサテライト型の印刷装置として構成されている。各印刷ユニット５６は、印刷に用いるインクの色に応じて設置されており、本実施形態では、ブラック（Ｋ）、シアン（Ｃ）、マゼンタ（Ｍ）、イエロー（Ｙ）、透明（ＯＰ）の各色に対応した複数の印刷ユニットが設置されている。各インクは、公知の紫外線硬化型インクである。また、各印刷ユニット５６は、センタードラム５１を取り囲むように支持フレーム５８に固定されており、センタードラム５１により給送される被印刷物Ｐに対してインクを供給して印刷できるように設置されている。
【００１９】
また、各紫外線照射ユニット５７は、各印刷ユニット５６に後続するように設置され、センタードラム５１を取り囲むように支持フレーム５８に固定されている。そして、センタードラム５１により給送される被印刷物Ｐに対して、各印刷ユニット５６からインクが塗布されるたびに、各紫外線照射ユニット５７からインクに対して紫外線を照射し、インクを硬化できるように構成されている。
【００２０】
（２）紫外線照射ユニット
次に、紫外線照射ユニットについて、図面を参照しつつ説明する。図３は、紫外線照射ユニットの斜視図である。この紫外線照射ユニット５７は、支持フレーム５８（図２参照）に固定されるアタッチメント５９と、このアタッチメント５９に着脱可能に取り付けられた紫外線照射装置１とを備えている。アタッチメント５９は、角筒状に形成されたアタッチメント本体６０と、アタッチメント本体６０の軸方向の両端部に設けられたフランジ６１とを備えている。アタッチメント本体６０は、軸方向の一端部に形成された挿入開口６２と、側壁の壁面に形成された壁面開口６３とを備えており、挿入開口６２を介して光照射装置１を挿入可能であり、壁面開口６３を介して紫外線を照射できるように構成されている。アタッチメント本体６０の側壁の内面には、紫外線照射装置１を案内するガイドレール６４が軸方向に延びるように設置されている。フランジ６１は、アタッチメント本体６０の端部から側方に突出しており、このフランジ６１を介してアタッチメント５９を支持フレーム５８に固定できる。
【００２１】
続いて、紫外線照射装置について、図４〜図６を参照しつつさらに詳細に説明する。図４は、紫外線照射装置の（ａ）上面図、（ｂ）側面図、（ｃ）下面図、図５は図４のＡ−Ａ断面図、図６は図４のＢ−Ｂ断面図である。以下の説明では、図４の左右方向を長手方向、図６の左右方向を幅方向、図６の上下方向を上下方向と称して説明するが、これらの上下前後左右の方向は、説明のために便宜的に規定する方向であり、本発明の実施における方向を限定するものではない。図４〜図６に示すように、紫外線照射装置１は、直方体状のケーシング３を備えており、このケーシングの内部空間２に、後述するＬＥＤ基板６、区分部材４、及び制御基板５が設けられている。
【００２２】
図５及び図６に示すように、ケーシング３は、水平方向に延びる平面視矩形状の板状の基部７と、この基部７を覆うように断面Ｕ字型に形成されたカバー部材８とで構成されており、基部７とカバー部材８によって囲まれた領域により、上述した内部空間２が形成されている。基部７の中央部には、ケーシング３の長手方向（図５の左右方向）に延びる照射用開口９が形成されており、この照射用開口９は、基部７の厚み方向（図６の上下方向）に貫通している。また、基部７の下面は多段に切り欠かれており、一段目には照明用開口９を幅方向に挟む一対の第１設置面１３が形成され、各第１設置面１３の幅方向の内側には、第２設置面１１がそれぞれ形成されている。そして、第１設置面１３には汚れ防止板１２が配置され、第２設置面１１には、一対のリフレクタ部材１０、１０が設置されている。
【００２３】
汚れ防止板１２は、透明の板材によって形成されており、各第１設置面１３の外側の端部に形成された設置溝１３ａに嵌め込まれて、照明用開口９を下方から覆っている。汚れ防止板１２の材質としては、例えば、紫外線を透過する石英ガラス等を用いることができる。この汚れ防止板１２は、紫外線照射時に、アタッチメント５９の壁面開口６３に配置され、被印刷物Ｐと対向して配置される。一方、各リフレクタ部材１０は、金属の板材をほぼ直角に屈曲させることにより形成されており、第２設置端面１１に当接する外反射部１５と、外反射部１５から屈曲して延びる内反射部１６とを備えている。リフレクタ部材１０の材質としては、例えば、アルミニウムやステンレス等の金属を用いることができ、この材質を研磨して鏡面仕上げすることにより、紫外線を反射可能なように構成されている。また、各リフレクタ部材１０においては、外反射部１５が第２設置面１１と汚れ防止板１２との間に配置され、ケーシング３の外方に向いている。すなわち、ケーシング３の外方へ紫外線を反射できるようになっている。一方、両内反射部１６は、照射用開口９内に位置し、照射用開口９を挟んで互いに対向するように配置されている。すなわち、照射用開口９の内方に向かって紫外線を反射できるように配置されている。
【００２４】
図４に示すように、カバー部材８の各側壁面には、複数の通気口１８が形成されており、この通気口１８を介してケーシング３の外部と内部空間２とが連通している。そのため、ケーシング３外部の空気を内部空間２に導入できる。また、カバー部材８の壁面外部には着脱ローラ１９が輪転可能に取り付けられており、この着脱ローラ１９をアタッチメント５９のガイドレール６４に沿って輪転させることにより、紫外線照射装置１をアタッチメント５９に対して出し入れすることができる。また、カバー部材８の長手方向の一端部にはハンドル２０が取り付けられている。
【００２５】
図６に示すように、ＬＥＤ基板６は、アルミニウム製の平板状の部材によって形成されており、上記照射用開口９を上方から塞ぐように、ケーシング３の基部７の上面に配置されている。そして、ＬＥＤ基板６の下面（第１の面）には、複数の紫外線ＬＥＤ３０が実装されており、これら紫外線ＬＥＤ３０が照射用開口９から下方を臨むように配置され、外部（被印刷物Ｐ）に紫外線を照射するようになっている。
【００２６】
基部７の上方には、ＬＥＤ基板６を覆う区分部材４が配置されている。区分部材４は、金属の板状部材を屈曲させることにより形成されている。この区分部材４によって、内部空間２は２つの領域に分けられている。すなわち、内部空間２において、区分部材４とカバー部材８で囲まれた領域には第１空間２１が形成されており、この第１空間２１は、カバー部材８の通気口１８を介してケーシング３の外部と連通している。一方、区分部材４は、基部７に配置されたＬＥＤ基板６との間に、空気が流れる第２空間２２を形成している。そして、この第２空間２２には、後述するように、複数の放熱部材３２が収容されている。
【００２７】
図７は、区分部材４の斜視図である。区分部材４は、水平方向に延びる上板部２５と、上板部２５から屈曲して鉛直方向に延びる側板部２６とを備えている。側板部２６の下端にはフランジ２６ａが形成されており、図６に示すように、このフランジ２６ａが基部７に固定されている。また、側板部２６の長手方向の一端部には連通口２３が複数形成されており、連通口２３を介して第１空間２１と第２空間２２が連通している。なお、図示を省略するが、区分部材４の上板部２５に少なくとも一つの連通口を形成してもよく、これによっても、第１空間２１と第２空間２２とを連通させることができる。
【００２８】
区分部材４の長手方向の他端部には、上板部２５から連続して延びる排気口部材２７が固定されている。排気口部材２７は、上板部２５の端部から斜め方向に延びるように設置されており、これにより、拡開する排気口２８が形成され、第２空間２２に接続されている。そして、排気口２８の出口には、後述する空気吸引装置３１が配置されている（図５参照）。また、図５及び図６に示すように、区分部材４及び排気口部材２７の上部には、基板支持台２４が設置されており、制御基板５が支持されている。すなわち、基板支持台及び制御基板は、第１空間に配置されている。制御基板５には、複数の回路が実装されており、紫外線ＬＥＤ３０、空気吸引装置３１、及びその他の紫外線照射装置の動作を制御する。
【００２９】
次に、第２空間２２に収容される複数の放熱部材３２について説明する。各放熱部材３２は、湾曲した金属製の薄板から構成されており（フィン状に形成されており）、ケーシング３の幅方向（第２の方向）に間隔をあけて配置されている。また、各放熱部材３２は第２空間２２で概ね上下方向に延び、且つケーシング３の長手方向（第１の方向）に沿うように配置されている。このような幅方向に並ぶ複数の放熱部材３２を備えた放熱ユニットが、ケーシング３の長手方向（図５の左右方向）に、所定間隔をあけて複数配置されている。
【００３０】
図６に示すように、各放熱部材３２は、湾曲した状態で、その下端部がＬＥＤ基板６の上面に設置されるとともに、その上端部が区分部材４の下面に接触している。また、紫外線ＬＥＤ３０を挟んで図６の左側に配置されている複数の放熱部材３２は幅方向に外側へ向かって凸となるように湾曲しており、右側に配置されている複数の放熱部材３２は反対側へ凸となるように湾曲している。このような配置により、隣接する放熱部材３２と、ＬＥＤ基板６と、区分部材４とによって、空気が流れる複数の流路が形成されている。そして、これら流路には、小流路３３、大流路３５、側部流路３４とが含まれている。小流路３３は、同じ側に湾曲している放熱部材３２間に形成される隙間の狭い流路である。大流路３５は、第２空間２２の幅方向の中央に形成される隙間の大きい流路であり、互いに反対側に向く放熱部材３２の凹面が対向することにより形成される。また、側部流路は、幅方向の端部に配置されている各放熱部材３２と区分部材４の各側板部２６との間に形成される流路である。大流路３５及び側部流路３４は、小流路よりも空気の流量が大きくなっている。また、各放熱部材３２は、湾曲により弾性を有するのでＬＥＤ基板６及び区分部材４に柔軟に接触（弾性接触）しており、ＬＥＤ基板６および区分部材４によって僅かに圧縮された状態となっている。なお、小流路３３における放熱部材３２間の隙間の長さは、求める空冷性能や、紫外線照射装置の大きさなどにもより、必ずしも限定的ではないが、例えば、２〜４ｍｍとすることができ、好ましくは２．５ｍｍ〜３．０ｍｍとすることができる。また、大流路３５については、例えば、小流路３３の隙間の２倍〜１０倍程度が好ましく、４倍〜６倍程度がさらに好ましい。
【００３１】
区分部材４の端部に設けられた空気吸引装置３１は、空気を圧送する公知の送風機を用いることができ、この空気吸引装置３１の駆動により、ケーシング３の外部の空気を通気口１８を介してケーシング３内部に吸引し、これにより内部空間２（第１空間２１及び第２空間２２）に空気流を発生させる。そして、空気吸引装置３１の動作により、内部空間２の空気を排気口２８を介してケーシング３の外部に排出する。
【００３２】
（３）紫外線照射ユニットの動作
次に、上記のように構成された紫外線照射装置１の動作を説明する。まず、紫外線照射装置１をアタッチメント５９に取り付けた状態で、電源（図示省略）をオンにすることにより、紫外線ＬＥＤ３０及び空気吸引装置３１を駆動する。紫外線ＬＥＤ３０の発光により、被印刷物Ｐに紫外線が照射される。また、空気吸引装置３１の駆動により、排出口２８を介して第２空間２２から空気が吸引される。これにより、第２空間２２に負圧が発生するため、区分部材４の連通口２３を介して第１空間２１から第２空間２２へ空気が流れ込み、また、ケーシング３の外部の空気が通気口１８を介して第１空間２１に流れ込む。こうして、連通口２３から第２空間２２に流入した空気は、ケーシング３の長手方向に沿って流れ（図５の左側から右側へ）、各流路３３，３４，３５に空気流を発生させる。そして、この空気流により、各放熱部材３２が冷却される。また、各放熱部材３２の下端部はＬＥＤ基板６に接続されているため、紫外線ＬＥＤ３０で発生した熱が伝達される。したがって、放熱部材３２と紫外線ＬＥＤ３０との間で熱交換が行われ、紫外線ＬＥＤ３０が冷却される。また、空気流は、第１空間２１に流入するため、制御基板５も冷却される。そして、空気吸引装置３１に吸引された空気は、ケーシング３の外部に排出される。
【００３３】
（４）紫外線照射ユニットによる効果
以上のように構成された紫外線照射ユニットによれば、空気吸引装置３１で空気を吸引することにより、放熱部材３２間の流路に負圧を形成し、これにより、空気流を発生させている。したがって、隙間の狭い流路３３，３４，３５であっても空気流を発生させることができるため、多数の放熱部材３２を配置することができ、装置内部を効果的に冷却することができる。また、大流路３５を形成しているため、次の効果を得ることができる。すなわち、隙間が小さい小流路３３では、送り込まれた空気が放熱部材３２に接触すると、すぐに温度が上昇するため、下流側の放熱部材３２にまで低温の空気を送り込むことが難しかったが、大流路３５では、その両側の放熱部材３２に送り込まれた空気の一部が接触するものの、全体としては空気流の温度が大きく上昇することなく、下流側まで低温の空気を送り込むことができる。この点を、図８により模式的に示して説明する。図８は第２空間２２の断面図である。同図の例では、４つの放熱ユニット３２ａ〜３２ｄが上流から下流に向けて配置されており、低温の空気を矢印で示している。大流路３５を流れる空気は、その両側に配置されている放熱部材３２によって温度が上昇するが、空気の流量が多いため、大流路を流れる空気の温度が全体として上昇するわけではなく、依然として低温の空気も混ざっている。こうして、放熱ユニット３２ａ〜３２ｄを通過するたびに空気流は暖められるものの、下流側の放熱ユニット（例えば、３２ｄ）に対しても低温の空気を流すことができる。特に、紫外線ＬＥＤ３０は、適切に冷却を行わないと寿命が短くなったり、照度が低下するおそれがあるため、各紫外線ＬＥＤ３０が均等に冷却されないと、一つの紫外線照射装置１の中で紫外線ＬＥＤ３０の寿命や照度にバラツキが生じる可能性があるが、本実施形態のように構成することで、このような問題を改善することができる。なお、この例では、幅方向の中心にのみ大流路３５が形成されているが、大流路３５は紫外線ＬＥＤ３０の直上に配置されているため、下流側の紫外線ＬＥＤ３０も効果的に冷却することができる。また、流路の断面積が大きい側部流路３４についても同様の効果を得ることができる。
【００３４】
さらに、放熱部材３２が湾曲した金属板から構成され、弾性を有するので、放熱部材３２をＬＥＤ基板６及び区分部材４により上下方向に僅かに圧縮することにより、放熱部材３２の高さにバラツキがあっても狭小流路３３を確実に形成することができる。よって、より効果的に冷却を行うことができる。
【００３５】
（５）変形例
以上、本発明の一実施形態について説明したが、本発明の具体的な態様は、上記実施形態に限定されるものではない。
【００３６】
例えば、上記実施形態では、放熱部材３２が断面視において湾曲状の形状であったが、この形状は特に限定されるものではなく、例えば、断面視において、直線状、波状、屈曲状などの形状であってもよい。また、大流路３５の形成方法も特に限定されるものではなく、上述したように、放熱部材３２を湾曲させ、凹面同士を対向させる態様だけでなく、例えば、図９（ａ）及び図９（ｂ）に示すように、放熱部材３２を一箇所または複数箇所で屈曲させて凹面を形成し、これを対向させるようにしてもよい。また、図９（ｃ）に示すように、放熱部材３２を湾曲させない代わりに、幅方向の外方に上方に向かって傾斜させ、第２空間２２の中央部分にＶ字型の大流路３５を形成することもできる。この態様の場合、大流路３５を挟んで隣接する放熱部材３２の間の角度αを、例えば、５０〜６０°程度にすることができる。また、図９（ｄ）に示すように、湾曲の程度（曲率半径）を変化させることで、複数箇所に大流路を形成することもできる。この例では、幅方向の左側の放熱部材３２を２つの放熱部材群３２１，３２２に分け、中央側の放熱部材群３２１よりも、幅方向の外側の放熱部材群３２２の曲率半径を湾曲を小さくし、２つの放熱部材群３２１，３２２の間に大流路３５１を形成している。同様に、幅方向の右側の放熱部材３２も同様に構成する。同様にして、さらに複数箇所に大流路を形成することもできる。また、単に、放熱部材３２を基板６から取り外すことで、大流路３５を形成することもできる。
【００３７】
また、大流路３５は、内部空間２の長手方向の全体に亘って形成されているが、例えば、図１０に示すように、上流から中間部分にまで大流路３５を形成することもできる。このように構成すると、大流路３５の下流側を塞ぐように配置される放熱部材３２に対して、直接的に空気を吹き付けることができるため、冷却効果を高めることができる。なお、以上説明した大流路３５は、放熱部材３２の下端部から上端部の間で、隣接する放熱部材３２間の隙間を大きくすることで形成されるが、ＬＥＤ基板６に接触している各放熱部材の下端部は、概ね等間隔で配置されることが好ましい。
【００３８】
また、ＬＥＤ基板６の材質は特に限定されるものではなく、熱伝導性の高い材質を用いれば、紫外線ＬＥＤ３０を更に効率的に冷却することができる。また、放熱部材３２の材質も特に限定されるものではなく、アルミニウム等の熱伝導性の高い材質を用いることにより冷却効果を高めることができる。
【００３９】
また、上記実施形態では、区分部材４は屈曲状の部材からなり、第２空間２２を形成する構成であったが、この構成に限定されるものではない。例えば、図１１に示すように、区分部材４を平板状に形成し、その下面が放熱部材３２の上端部に接触するように配置されている。このような構成によっても、隣接する放熱部材３２、ＬＥＤ基板６および区分部材４により、大流路３５及び小流路３３を形成することができる。
【００４０】
また、上記実施形態では、図６に示すように、並列配置された複数の放熱部材３２は、全て、上端部が区分部材４に接触する構成であったが、この構成に限定されず、必ずしも全ての放熱部材３２が区分部材４に接触する必要はない。例えば、並列配置された複数の放熱部材３２のうちの一部（例えば、図６の中央より左側半分の複数の放熱部材３２）が区分部材４に接触しており、他の一部（例えば、図６の中央より右側半分の複数の放熱部材３２）が区分部材４に接触していなくてもよい。このような構成によっても、複数の放熱部材３２のうちの一部、すなわち、区分部材４に接触している複数の放熱部材３２（例えば、図６の中央より左側半分の複数の放熱部材３２）において、複数の流路を構成することができる。
【００４１】
上記放熱部材３２は、種々の態様で形成することができるが、ＬＥＤ基板６とは別体で作成し、その下端部をＬＥＤ基板６に接着することができる。ＬＥＤ基板６は、２以上の板材を積層することもできる。例えば、紫外線ＬＥＤ３０が実装された基板の上面に、放熱部材３２が配置される別の基板を積層することで、ＬＥＤ基板６とすることができる。また、放熱部材３２とＬＥＤ基板１０とを一体的に形成することもできる。例えば、金属基板から放熱部材３２を削りだし、これを垂直方向に延びるように配置することもできる。
【００４２】
また、上記実施形態に係る紫外線照射装置１においては、流路の下流側に空気吸引装置３１を配置しているが、上流側に空気を供給する空気供給装置を配置することもできる。このような空気吸引装置としては、公知の送風機で構成することができる。このような空気吸引装置を配置する場合には、例えば、区分部材４の上流側に、下流側の排気口部材２７と同様の構成の吸気口部材を設け、空気供給装置からの空気を第２空間２２に案内しやすいようにする。このような空気吸引装置を設けることで、第２空間２２へ流れる空気の流量を増大することができる。また、ケーシング３の長手方向（図６の左右方向）の寸法が長い場合は、ケーシング３の内部に配置されている各構成部材を、長手方向に並列に複数配置してもよい。すなわち、区分部材４、空気吸引装置３１などを、ケーシング３の内部において、長手方向に並列に複数配置することができる。このような構成によっても、並列配置された各構成部材により、光照射装置１の内部を冷却することができる。
【００４３】
また、上記説明では、光照射装置を、印刷物のインクを乾燥させるための紫外線の照射装置として用いたが、紫外線を照射できるものであれば、これ以外の用途でも使用可能である。また、上記実施形態では、紫外線を照射する紫外線ＬＥＤ３０を用いていたが、この構成に限定されず、紫外線ＬＥＤ３０に替えて、他の波長域の光を発する発光ダイオードを用いることもできる。例えば、可視光を発光する発光ダイオードを、紫外線ＬＥＤ３０に替えて使用することができる。
【符号の説明】
【００４４】
１    紫外線照射装置（光照射装置）
６    ＬＥＤ基板（基板）
３０  紫外線ＬＥＤ（発光ダイオード）
３１  空気吸引装置（空気吸引ユニット）
３２  放熱部材
３３  小流路
３５  大流路
【図１】
2013125900.tif 000003
【図２】
2013125900.tif 000004
【図３】
2013125900.tif 000005
【図４】
2013125900.tif 000006
【図５】
2013125900.tif 000007
【図６】
2013125900.tif 000008
【図７】
2013125900.tif 000009
【図８】
2013125900.tif 000010
【図９】
2013125900.tif 000011
【図１０】
2013125900.tif 000012
【図１１】
2013125900.tif 000013
【図１２】
2013125900.tif 000014